(57)【要約】【課題】ドレン口での水漏れがなく、排水作業が容易な空気調和機を提供する。【解決手段】冷房運転時に熱交換器３で生成されるドレン水を受けるドレンパン４と、ドレンパン４に溜まったドレン水を外部に排水するドレンポンプ５と、ドレンパン４に設けられ緊急時にドレン水を排水するためのドレン口７と、ドレン口７を封止する止水面９を有すると共にドレンパン４の内面側に位置するドレンキャップ８と、ドレンキャップ８を下方に付勢する螺旋バネ１０を備えたもので、ドレンパン４内のドレン水の水圧と螺旋バネ１０の付勢力で、ドレンキャップ８が下方に押さえつけられ確実に水漏れを防ぐことができ、またドレンキャップ８を突起物（図示せず）などで上に押し上げることでドレンキャップ８を取り外すことなくドレン水を排水でき、さらにその排水量も突起物を押上げる力を調整することで調整でき、一気に大量のドレン水が下方に排水されることがない。【選択図】図１
2010112642.tif 000002
【特許請求の範囲】
【請求項１】
空気調和機本体内に、送風機と、熱交換器と、冷房運転時に前記熱交換器で生成されるドレン水を受けるドレンパンと、前記ドレンパンに溜まったドレン水を外部に排水するドレンポンプと、前記ドレンパンに設けられ緊急時にドレン水を排水するためのドレン口と、前記ドレン口を封止する止水面を有すると共に前記ドレンパンの内面側に位置するドレンキャップと、前記ドレンキャップを下方に付勢する弾性部材を備えたことを特徴とした空気調和機。
【請求項２】
ドレン口の内面に雌ネジを形成し、前記雌ネジに螺旋嵌合する雄ネジを有する排水管を備えたことを特徴とする請求項１に記載の空気調和機。
【請求項３】
排水管の先端に複数個の排水用の溝を設けたことを特徴とする請求項２に記載の空気調和機。
【請求項４】
排水管の先端に複数個の凸状の突起を設けたことを特徴とする請求項２に記載の空気調和機。
【請求項５】
排水管の先端の周壁に複数個の穴を設けたことを特徴とする請求項２に記載の空気調和機。
【請求項６】
排水管の先端出口部を半球面状に形成し、前記半球面に複数個の穴を設けたことを特徴とする請求項２に記載の空気調和機。
【発明の詳細な説明】
【技術分野】
【０００１】
本発明は、空気調和機に関するもので、特に、緊急時にドレン水を排水するために設けられたドレンキャップのメンテナンス性向上の改善に関するものである。
【背景技術】
【０００２】
従来、この種の空気調和機は、天井内に設置されており、ドレン排水の詰まりやドレンポンプの故障などにより修理、点検などのメンテナンスの際、ドレンパンに溜まったドレン水を外部に排出させるため、ドレン口が設けられ、通常そのドレン口を封止するため脱着可能で弾性材料からなるドレンキャップを配した構造が一般的である（例えば、特許文献１参照）。
【０００３】
図９は、上記特許文献１に記載された従来の空気調和機の断面図を示すもので、図１０は、同空気調和機のドレン口周辺の詳細断面図を示すものである。
【０００４】
図９、図１０に示すように、従来の空気調和機の空気調和機本体１の内部には、送風機２が配置されている。その外周に、熱交換器３が配置され、熱交換器３の下方に、冷房運転時に前記熱交換器３から生成されたドレン水を受けるドレンパン４が配置されている。通常の冷房運転時には、前記ドレンパン４に溜まったドレン水は、ドレンポンプ５にて汲み上げられドレン排水口６を経由して空気調和機本体１から外部へと放出される。
【０００５】
前記ドレンパン４には、ドレン排水管（図示せず）の詰まりや、ドレンポンプ５の故障の際に、強制的にドレンパン４に溜まったドレン水を、空気調和機本体１の外部へ排出させるために、ドレンパン４内のドレンポンプ５の下方にドレン口７が設けられ、このドレン口７を封止するために、前記ドレン口７の内周に常時摩擦圧力が作用するように構成されたドレンキャップ８が取付けられている。またドレンキャップ８は、着脱可能で、かつ水漏れの発生がしにくいように弾性材料で成型されているのが一般的である。
【特許文献１】特開平３−２８１０５３号公報
【発明の開示】
【発明が解決しようとする課題】
【０００６】
しかしながら、前記従来の空気調和機の構成では、ドレンキャップ８は水漏れが発生しにくいように弾性材料の摩擦力を利用して封止しており、ドレン口７とドレンキャップ８の寸法公差範囲の調整が困難でバラツキが大きくなり、ドレン口７との嵌合調整がうまくいかないものもあり、ドレン水の水漏れの発生が起こり易くなるという課題を有していた。またドレンパン４に溜まったドレン水をドレン口７から排水するとき、ドレンキャップ８を取り外すと、一気に大量のドレン水が、空気調和機本体１の下方に排水されるため、作業性が悪く、またドレン口７とドレンキャップ８の摩擦力によりドレンキャップ８が外しにくいという課題を有していた。
【０００７】
本発明は、前記従来の課題を解決するもので、ドレンキャップ８とドレン口７が確実に嵌合され、嵌合部からの水漏れがなく、またドレンパン４に溜まったドレン水をドレン口７から排水するとき一気に大量のドレン水が空気調和機の下方に排水されることがなく作業が容易にできる空気調和機を提供することを目的とする。
【課題を解決するための手段】
【０００８】
前記従来の課題を解決するために、本発明の空気調和機は、空気調和機本体内に、送風機と、熱交換器と、冷房運転時に前記熱交換器で生成されるドレン水を受けるドレンパン
と、前記ドレンパンに溜まったドレン水を外部に排水するドレンポンプと、前記ドレンパンに設けられ緊急時にドレン水を排水するためのドレン口と、前記ドレン口を封止する止水面を有すると共に前記ドレンパンの内面側に位置するドレンキャップと、前記ドレンキャップを下方に付勢する弾性部材を備えたもので、ドレンパン内部に溜まったドレン水の水圧と弾性部材の付勢力により、ドレン口からの水漏れを確実に防ぐことができ品質向上が図れる。またドレンキャップを取り外すことなく、空気調和機本体下面からドレンキャップを突起物などで上方向に押し上げるだけで、ドレン水を排水できると共に、その排水量も、突起物を押上げる力を変えるだけで調整でき、一気に大量のドレン水が空気調和機の下方に排水されることがなくサービス性向上を図ることができる。
【発明の効果】
【０００９】
本発明の空気調和機は、ドレンパンに設けられたドレン口と前記ドレン口を封止するドレンキャップの構造に関して、ドレンキャップの水密性に優れ、ドレンパンに溜まったドレン水の排出量を調整することでドレンパンのサービス性向上を図ることができる。
【発明を実施するための最良の形態】
【００１０】
第１の発明は、空気調和機本体内に、送風機と、熱交換器と、冷房運転時に前記熱交換器で生成されるドレン水を受けるドレンパンと、前記ドレンパンに溜まったドレン水を外部に排水するドレンポンプと、前記ドレンパンに設けられ緊急時にドレン水を排水するためのドレン口と、前記ドレン口を封止する止水面を有すると共に前記ドレンパンの内面側に位置するドレンキャップと、前記ドレンキャップを下方に付勢する弾性部材を備えたもので、ドレンパン内部に溜まったドレン水の水圧と弾性部材の付勢力により、ドレン口からの水漏れを確実に防ぐことができ品質向上が図れる。またドレンキャップを取り外すことなく、空気調和機本体下面からドレンキャップを突起物などで上方向に押し上げるだけで、ドレン水を排水できると共に、その排水量も、突起物を押上げる力を変えるだけで調整でき、一気に大量のドレン水が空気調和機の下方に排水されることがなくサービス性向上を図ることができる。
【００１１】
第２の発明は、特に、第１の発明のドレン口の内面に雌ネジを形成し、前記雌ネジに螺旋嵌合する雄ネジを有する排水管を備えたもので、配水管をドレン口に取付けた後、ねじ込んで徐々にドレンキャップを押上げることで、ドレンキャップを取り外すことなく、ドレン水が排出され、またドレン水の排水量も、排水管を徐々にねじ込んで行くことで調整できるので、一気に大量のドレン水が空気調和機の下方に排水されることがなく、サービス性向上を図ることができる。
【００１２】
第３の発明は、特に、第２の発明の排水管の先端に複数個の排水用の溝を設けたもので、配水管をドレン口に取付けた後、ねじ込んで徐々にドレンキャップを押上げることで、ドレンキャップを取り外すことなく、ドレン水が排出され、またドレン水の排水量も、排水管を徐々にねじ込んで行くことで調整できるので、一気に大量のドレン水が空気調和機の下方に排水されることがなく、サービス性向上を図ることができる。
【００１３】
第４の発明は、特に、第２の発明の排水管の先端に複数個の凸状の突起を設けたもので、配水管をドレン口に取付けた後、ねじ込んで徐々にドレンキャップを押上げることで、ドレンキャップを取り外すことなく、ドレン水が排出され、またドレン水の排水量も、排水管を徐々にねじ込んで行くことで調整できるので、一気に大量のドレン水が空気調和機の下方に排水されることがなく、サービス性向上を図ることができる。
【００１４】
第５の発明は、特に、第２の発明の排水管の先端の周壁に複数個の穴を設けたもので、配水管をドレン口に取付けた後、ねじ込んで徐々にドレンキャップを押上げることで、ドレンキャップを取り外すことなく、ドレン水が排出され、またドレン水の排水量も、排水
管を徐々にねじ込んで行くことで調整できるので、一気に大量のドレン水が空気調和機の下方に排水されることがなく、サービス性向上を図ることができる。
【００１５】
第６の発明は、特に、第２の発明の排水管の先端出口部を半球面状に形成し、前記半球面に複数個の穴を設けたもので、配水管をドレン口に取付けた後、ねじ込んで徐々にドレンキャップを押上げることで、ドレンキャップを取り外すことなく、ドレン水が排出され、またドレン水の排水量も、排水管を徐々にねじ込んで行くことで調整できるので、一気に大量のドレン水が空気調和機の下方に排水されることがなく、サービス性向上を図ることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の部分断面図、図２は、同空気調和機のドレン口周辺の詳細断面図を示すものである。なお、上記従来の空気調和機と同一部分には、同一符号を付してその説明を省略する。
【００１８】
図１と図２において、本実施の形態における空気調和機の空気調和機本体１の内部には、熱交換器３が配置され、その熱交換器３の下方には、熱交換器３で生成されたドレン水を受けるドレンパン４が配置されている。前記ドレンパン４に溜まったドレン水は、ドレンポンプ５にて汲み上げられ、ドレン排水口６を経由して空気調和機本体１から外部へと放出される。
【００１９】
前記ドレンパン４には、ドレン排水管（図示せず）の詰まりや、ドレンポンプ５の故障の際に、強制的にドレンパン４に溜まったドレン水を空気調和機本体１の外部へ排出させるために、ドレンパン４内のドレンポンプ５の下方にドレン口７が設けられており、またドレン口７を封止するために、前記ドレン口７を封止させるための止水面９を有したドレンキャップ８を有している。前記ドレンキャップ８は、前記ドレンパン４の内面側に位置し、さらにドレンパン４とドレンキャップ８の間に、弾性を有した弾性部材として螺旋バネ１０が配され、ドレンキャップ８を下方に付勢している。そして、螺旋バネ１０の付勢力と、ドレンパン４内に溜まったドレン水により、ドレンパン４内面側から、前記ドレンキャップ８に圧力が加わり、ドレン口７を封止するように構成されている。
【００２０】
以上のように構成された本実施の形態における空気調和機について、以下その動作、作用を説明する。
【００２１】
空気調和機本体１の冷房運転時に、熱交換器３にて生成されドレンパン４に貯水されたドレン水を、サービス時等の緊急時に空気調和機本体１外に排水するためのドレン口７と、ドレン口７を封止するための止水面９を有し、ドレンパン４の内面側に配されたドレンキャップ８と、ドレンパン４とドレンキャップ８の間に配された螺旋バネ１０とを備えることにより、ドレンキャップ８が、螺旋バネ１０の付勢力とドレンパン４内に溜まったドレン水の水圧により、ドレンパン４の内面側から、ドレンキャップ８の止水面９がドレン口７に押さえつけられ、確実に水漏れを防ぐことができ品質向上が図れる。
【００２２】
また空気調和機本体１下面からドレンキャップ８を、ドレン水の水圧と螺旋バネ１０の付勢力に抗して突起物１１などで上方向に押し上げることで、ドレンキャップ８を取り外す必要もなくドレン水を排水することができ、またその排水量も、突起物１１を押上げる力を調整することで、調整できるので、一気に大量のドレン水が空気調和機本体１の下方に排水されることがなくサービス性向上を図ることができる。
【００２３】
（実施の形態２）
図３は、本発明の第２の実施の形態における空気調和機ドレン口周辺詳細図を示すものである。なお、上記第１の実施の形態における空気調和機と同一部分には、同一符号を付してその説明を省略する。
【００２４】
本実施の形態における空気調和機は、図３に示すように、ドレン口７の内面に、雌ネジ１２を形成すると共に、その雌ネジ１２に螺旋嵌合する雄ネジ１３を形成した排水管１４を付属品として設けたものである。
【００２５】
以上のように構成された本実施の形態における空気調和機について、以下その動作、作用を説明する。
【００２６】
付属品として設けられた排水管１４を、ドレン口７に設けた雌ネジ１２に取付けねじ込んで行くことで、ドレンキャップ８が上部側に徐々に押上げられ、ドレンキャップ８を取り外す必要もなく、ドレン水を排水することが出来、またその排水量も、排水管１４をドレン口７にねじ込む量を任意に調整することで、ドレン水の排水量が調整でき一気に大量のドレン水が空気調和機本体１の下方に排水されることがなくサービス性向上を図ることができる。
【００２７】
（実施の形態３）
図４は、本発明の第３の実施の形態における空気調和機のドレン口周辺詳細図、図５は、同空気調和機の排水管の先端部の斜視図を示すものである。なお、上記実施の形態における空気調和機と同一部分には、同一符号を付してその説明を省略する。
【００２８】
本実施の形態における空気調和機は、図４、図５に示すように、排水管１４の上端に複数個の排水用溝１５を設けたもので、他の構成は、上記第２の実施の形態における空気調和機と同一である。
【００２９】
以上のように構成された本実施の形態における空気調和機について、以下その動作、作用を説明する。
【００３０】
先端に複数個の排水用溝１５を設けた排水管１４を、ドレン口７に設けられた雌ネジ１２に取付けねじ込んで行くことで、ドレンキャップ８が上部側に徐々に押上げられ、ドレンキャップ８を取り外す必要もなく、ドレン水を排水することができる。また、ドレン水の排水量も、排水管１４を任意にねじ込むことで、排水管１４の先端に設けられた複数個の排水用溝１５にて調整でき、大量のドレン水が一気に空気調和機本体１の下方に排水されることがなく、サービス性向上を図ることができる。
【００３１】
（実施の形態４）
図６は、本発明の第４の実施の形態における空気調和機の排水管の先端部の斜視図である。なお、上記実施の形態における空気調和機と同一部分には、同一符号を付してその説明を省略する。
【００３２】
本実施の形態における空気調和機は、図６に示すように、排水管１４の先端に、複数個の凸状の突起１６を設けたもので、他の構成は、上記第２の実施の形態における空気調和機と同一である。
【００３３】
以上のように構成された本実施の形態における空気調和機について、以下その動作、作用を説明する。
【００３４】
先端に複数個の凸状の突起１６を有した排水管１４を、ドレン口７に設けられた雌ネジ１２に取付けねじ込んで行くことで、ドレンキャップ８が上部側に徐々に押上げられ、ドレンキャップ８を取り外す必要もなく、ドレン水を排水することができる。また、ドレン水の排水量も、排水管１４を任意にねじ込むことで、排水管１４の先端に設けられた複数個の凸状の突起１６にて調整でき、一気に大量のドレン水が空気調和機本体１の下方に排水されることがなく、サービス性向上を図ることができる。
【００３５】
（実施の形態５）
図７は、本発明の第５の実施の形態における空気調和機の排水管の先端部の斜視図である。なお、上記実施の形態における空気調和機と同一部分には、同一符号を付してその説明を省略する。
【００３６】
本実施の形態における空気調和機は、図７に示すように、排水管１４の先端の周壁１４ａに複数個の穴１７を設けたもので、他の構成は、上記第２の実施の形態における空気調和機と同一である。
【００３７】
以上のように構成された本実施の形態における空気調和機について、以下その動作、作用を説明する。
【００３８】
先端の周壁１４ａに複数個の穴１７を設けた排水管１４を、ドレン口７に設けられた雌ネジ１２に取付けねじ込んで行くことで、ドレンキャップ８が上部側に徐々に押上げられ、ドレンキャップ８を取り外す必要もなく、ドレン水を排水することが出来る。またドレン水の排水量も、排水管１４を任意にねじ込むことで、複数個の穴１７で調整でき、一気に大量のドレン水が、空気調和機本体１の下方に排水されることがなく、サービス性向上を図ることができる。
【００３９】
（実施の形態６）
図８は、本発明の第６の実施の形態における空気調和機の排水管の先端部の斜視図である。なお、上記実施の形態における空気調和機と同一部分には、同一符号を付してその説明を省略する。
【００４０】
本実施の形態における空気調和機は、図８に示すように、排水管１４の先端出口部を半球面１８に加工し、その半球面１８に複数個の穴１９を設けたもので、他の構成は、上記第２の実施の形態における空気調和機と同一である。
【００４１】
以上のように構成された本実施の形態における空気調和機について、以下その動作、作用を説明する。
【００４２】
先端出口部が半球面１８に加工され、その半球面１８に複数個の穴１９を有した排水管１４をドレン口７に設けられた雌ネジ１２に取付けねじ込んで行くことで、ドレンキャップ８が排水管１４の先端の半球面１８で押されて、上部側に徐々に押上げられることにより、ドレンキャップ８を取り外す必要もなくドレン水を排水することが出来る。またドレン水の排水量も、排水管１４を任意にねじ込むことで、排水管１４の半球面１８に設けられた複数個の穴１９にて調整でき、一気に大量のドレン水が空気調和機本体１の下方に排水されることがなくサービス性向上を図ることができる。
【産業上の利用可能性】
【００４３】
以上のように、本発明にかかる空気調和機は、ドレンパン内部に溜まったドレン水の水圧と螺旋バネの付勢力によりドレンキャップが押さえつけられるので、確実に水漏れを防
ぐことができ品質向上が図れる。またドレンキャップを取り外すことなく、空気調和機本体下面からドレンキャップを突起物などで上方向に押し上げるだけで、ドレン水を排水でき、またその排水量も突起物を押上げる力を調整することで調整でき、一気に大量のドレン水が空気調和機の下方に排水されることがなくサービス性向上を図ることができるもので、天井据付型などの空気調和機に広く適用できる。
【図面の簡単な説明】
【００４４】
【図１】本発明の実施の形態１における空気調和機の部分断面図
【図２】同空気調和機のドレン口周辺の詳細断面図
【図３】本発明の実施の形態２における空気調和機のドレン口周辺詳細図
【図４】本発明の実施の形態３における空気調和機のドレン口周辺詳細図
【図５】同空気調和機の排水管の先端部の斜視図
【図６】本発明の実施の形態４における空気調和機の排水管の先端部の斜視図
【図７】本発明の実施の形態５における空気調和機の排水管の先端部の斜視図
【図８】本発明の実施の形態６における空気調和機の排水管の先端部の斜視図
【図９】従来の空気調和機の断面図
【図１０】同空気調和機のドレン口周辺の詳細断面図
【符号の説明】
【００４５】
１  空気調和機本体
２  送風機
３  熱交換器
４  ドレンパン
５  ドレンポンプ
６  ドレン排水口
７  ドレン口
８  ドレンキャップ
９  止水面
１０  螺旋バネ（弾性部材）
１１  突起物
１２  雌ネジ
１３  雄ネジ
１４  排水管
１５  排水用溝
１６  突起
１７、１９  穴
１８  半球面
【図１】
2010112642.tif 000003
【図２】
2010112642.tif 000004
【図３】
2010112642.tif 000005
【図４】
2010112642.tif 000006
【図５】
2010112642.tif 000007
【図６】
2010112642.tif 000008
【図７】
2010112642.tif 000009
【図８】
2010112642.tif 000010
【図９】
2010112642.tif 000011
【図１０】
2010112642.tif 000012